(57)【要約】      （修正有）【課題】被測定部位に対する装着が容易で、かつ、血圧測定時に一対のアーム部材の間に被測定部位を保持し続けることができる血圧測定用カフを提供する。【解決手段】支軸２１，２２の周りに互いに回動可能に交差して連結された第１アーム部材３０と第２アーム部材４０とを備える。第１アーム部材３０は、被測定部位の外周面のうち第１の半面の側に配される第１作用部分３３，３５を含む。第２アーム部材４０は、被測定部位の外周面のうち第２の半面の側に配される第２作用部分４３，４５を含む。ロック部５０は、第１作用部分３３，３５と第２作用部分４３，４５とが支軸２１，２２の周りで開くのを許容する開放許容モードと、第１作用部分３３，３５と第２作用部分４３，４５とが支軸２１，２２の周りで開くのを禁止する開放規制モードとをとり得る。【選択図】図２
2017093991.tif 000002
【特許請求の範囲】
【請求項１】
実質的に棒状の被測定部位を圧迫する血圧測定用カフであって、
支軸の周りに互いに回動可能に交差して連結された第１アーム部材と第２アーム部材とを備え、
上記第１アーム部材は、上記被測定部位の外周面のうち第１の半面の側に配される第１作用部分と、上記支軸を介して上記第１作用部分に一体に連なる第１操作部分とを含み、
上記第２アーム部材は、上記被測定部位の外周面のうち上記第１の半面と反対の第２の半面の側に配される第２作用部分と、上記支軸を介して上記第２作用部分に一体に連なる第２操作部分とを含み、
上記被測定部位を取り巻くように上記第１作用部分の内面と上記第２作用部分の内面とにまたがって取り付けられ、血圧測定時に上記被測定部位を圧迫するように加圧される圧迫部材と、
上記第１作用部分と上記第２作用部分とが上記支軸の周りで開くのを許容する開放許容モードと、上記第１作用部分と上記第２作用部分とが上記支軸の周りで開くのを禁止する開放規制モードとをとり得るロック部とを備えたことを特徴とする血圧測定用カフ。
【請求項２】
請求項１に記載の血圧測定用カフにおいて、
上記ロック部は、上記支軸に関して上記第１作用部分、上記第２作用部分の側ではなく上記第１操作部分、上記第２操作部分の側に配置され、上記開放許容モードでは、上記第１操作部分と上記第２操作部分とが上記支軸の周りで互いに開くのを許容することによって、上記第１作用部分と上記第２作用部分とが上記支軸の周りで互いに開くのを許容する一方、上記開放規制モードでは、上記第１操作部分と上記第２操作部分とが上記支軸の周りで互いに開くのを禁止することによって、上記第１作用部分と上記第２作用部分とが上記支軸の周りで互いに開くのを規制することを特徴とする血圧測定用カフ。
【請求項３】
請求項２に記載の血圧測定用カフにおいて、
上記ロック部は、
上記第１操作部分と上記第２操作部分との一方に回動可能に取り付けられた係合アームと、
上記第１操作部分と上記第２操作部分との他方に設けられ、上記係合アームと係合し得る係合受け部とを含むことを特徴とする血圧測定用カフ。
【請求項４】
請求項３に記載の血圧測定用カフにおいて、
上記係合アームは、上記係合受け部と接すべき部位に鋸歯状の突起を有し、この突起は、この係合アームの長手方向に対して実質的に垂直に立ち上がっている係止面と、この係止面に対してこの係合アームの根元から遠ざかる側に連なる斜面とを有し、
上記係合受け部は、上記係合アームと接すべき部位に、上記係合アームの上記鋸歯状の突起に対応して噛み合う鋸歯状の突起を有することを特徴とする血圧測定用カフ。
【請求項５】
請求項１から４までのいずれか一つに記載の血圧測定用カフにおいて、
上記圧迫部材は、
上記第１作用部分の内面と上記第２作用部分の内面とにまたがって、上記被測定部位を取り巻く周方向に沿って配置されたカーラと、
上記カーラの内周面に沿って配置され、血圧測定時に加圧されて膨張する流体袋とを含むことを特徴とする血圧測定用カフ。
【請求項６】
請求項５に記載の血圧測定用カフにおいて、
上記流体袋は、厚さ方向に関して、上記第１作用部分の先端部に対応する第１袋先端部、および、上記第２作用部分の先端部に対応する第２袋先端部の膨張ストロークが、上記第１袋先端部と上記第２袋先端部との間の袋中央部の膨張ストロークよりも大きくなるように設定されていることを特徴とする血圧測定用カフ。
【請求項７】
請求項１から６までのいずれか一つに記載の血圧測定用カフにおいて、
上記第１作用部分は、上記第１操作部分に上記支軸を介して一体に連なる第１主動部分と、この第１主動部分に対して第１関節を介して回動可能に連結された第１連動部分とを有し、
上記第２作用部分は、上記第２操作部分に上記支軸を介して一体に連なる第２主動部分と、この第２主動部分に対して第２関節を介して回動可能に連結された第２連動部分とを有し、
上記第１操作部分と上記第２操作部分とが上記支軸の周りで互いに接近するように操作されたことに伴って、上記第１主動部分と上記第２主動部分とが上記支軸の周りで互いに接近するとき、上記第１主動部分に対して相対的に、上記第１関節を介して上記第１連動部分を閉じる向きに回転させるとともに、上記第２主動部分に対して相対的に、上記第２関節を介して上記第２連動部分を閉じる向きに回転させるリンク機構を備えたことを特徴とする血圧測定用カフ。
【請求項８】
請求項７に記載の血圧測定用カフにおいて、
上記リンク機構は、上記第１主動部分に対する上記第１連動部分の開く向きの回転、および、上記第２主動部分に対する上記第２連動部分の開く向きの回転を規制することを特徴とする血圧測定用カフ。
【請求項９】
請求項１から８までのいずれか一つに記載の血圧測定用カフにおいて、
このカフが上記被測定部位に装着された状態で、上記第１作用部分と上記第２作用部分は、上記被測定部位の外周面のうち周方向に関して半分を超える領域を包むことを特徴とする血圧測定用カフ。
【発明の詳細な説明】
【技術分野】
【０００１】
この発明は血圧測定用カフに関し、より詳しくは、一対のアーム部材の間に被測定部位を保持する血圧測定用カフに関する。
【背景技術】
【０００２】
従来、血圧測定用カフとしては、例えば特許文献１（特開２０１５−３６０４１号公報）に開示された「腕部位圧迫装置」のように、上腕の外周面に沿って配される一対のアーム部材（第１の押圧部材と第２の押圧部材）を備え、上記一対のアーム部材が接続部（第１の接続部と第２の接続部）で互いに回動して開閉するものが知られている。上記一対のアーム部材は、付勢部材によって、被測定部位を挟持するように互いに接近する向きに付勢されている。上記一対のアーム部材の互いの対向面には、被測定部位を圧迫するための空気袋が設けられている。
【先行技術文献】
【特許文献】
【０００３】
【特許文献１】特開２０１５−３６０４１号公報
【発明の概要】
【発明が解決しようとする課題】
【０００４】
しかしながら、特許文献１に記載のものでは、血圧測定時に上記空気袋が加圧されて膨張したとき、付勢部材の付勢力に抗して上記一対のアーム部材が互いに開いてしまい、上記一対のアーム部材の間から被測定部位が押し出されてしまう（測定ができない）という問題がある。
【０００５】
なお、仮に付勢部材の付勢力を流体袋の到達圧力（通常は、２００ｍｍＨｇ〜３００ｍｍＨｇ程度）よりも大きくすると、被測定部位に対する装着時に、上記一対のアーム部材が開き難くなり、支障が生ずる。
【０００６】
そこで、この発明の課題は、被測定部位に対する装着が容易で、かつ、血圧測定時に一対のアーム部材の間に被測定部位を保持し続けることができるものを提供することにある。
【課題を解決するための手段】
【０００７】
上記課題を解決するため、この発明の血圧測定用カフは、
実質的に棒状の被測定部位を圧迫する血圧測定用カフであって、
支軸の周りに互いに回動可能に交差して連結された第１アーム部材と第２アーム部材とを備え、
上記第１アーム部材は、上記被測定部位の外周面のうち第１の半面の側に配される第１作用部分と、上記支軸を介して上記第１作用部分に一体に連なる第１操作部分とを含み、
上記第２アーム部材は、上記被測定部位の外周面のうち上記第１の半面と反対の第２の半面の側に配される第２作用部分と、上記支軸を介して上記第２作用部分に一体に連なる第２操作部分とを含み、
上記被測定部位を取り巻くように上記第１作用部分の内面と上記第２作用部分の内面とにまたがって取り付けられ、血圧測定時に上記被測定部位を圧迫するように加圧される圧迫部材と、
上記第１作用部分と上記第２作用部分とが上記支軸の周りで開くのを許容する開放許容モードと、上記第１作用部分と上記第２作用部分とが上記支軸の周りで開くのを禁止する開放規制モードとをとり得るロック部とを備えたことを特徴とする。
【０００８】
本明細書で、上記第１作用部分、上記第２作用部分の「内面」とは、上記被測定部位に対向する側の面を指す。
【０００９】
また、「圧迫部材」は、流体袋、カーラその他の要素を含んでいてもよい。
【００１０】
この発明の血圧測定用カフは、ユーザ（被測定者、および、医師・看護師などの医療従事者を含む。）によって、被測定部位に対して次のような操作で装着される。なお、最初に、上記第１操作部分と上記第２操作部分とが上記支軸の周りで互いに接近し、それに伴って上記第１作用部分と上記第２作用部分とが上記支軸の周りで互いに接近した閉状態（最小サイズの状態）にあるものとする。また、ロック部は開放許容モードにあるものとする。
（ａ）  まず、上記ロック部が開放許容モードにある状態で、上記第１操作部分と上記第２操作部分とを上記支軸の周りで互いに開く。これにより、上記第１作用部分と上記第２作用部分とが上記支軸の周りで互いに開かれ、開状態になる。
（ｂ）  次に、上記第１作用部分と上記第２作用部分との間で、上記第１作用部分の内面と上記第２作用部分の内面とにまたがって取り付けられた圧迫部材に接するように、被測定部位を配置する。
（ｃ）  次に、ロック部を開放許容モードから開放規制モードに切り替える。これにより、第１作用部分３３，３５と第２作用部分４３，４５とが上記支軸の周りで開くのが禁止される。なお、この段階での切り替えは、上記ロック部が、開放規制モードにおいて、上記第１操作部分と上記第２操作部分とを上記支軸の周りで互いに接近させることを許容している場合に限って行われる。上記ロック部が、開放規制モードにおいて、上記第１操作部分と上記第２操作部分とを上記支軸の周りで互いに接近させることをも禁止している場合は、この切り替えは、次の操作（ｄ）の後に行われる。
（ｄ）  この後、上記第１操作部分と上記第２操作部分とを上記支軸の周りで互いに接近させる。これにより、上記第１作用部分と上記第２作用部分とが上記支軸の周りで互いに接近した閉状態になる。上記被測定部位は、上記圧迫部材に取り巻かれるとともに、上記第１作用部分と上記第２作用部分との間に保持される。
この血圧測定用カフは、このように簡単な操作（ａ）〜（ｄ）で装着され得る。これを「装着状態」と呼ぶ。
【００１１】
上記装着状態では、血圧測定のために上記圧迫部材が加圧されて上記第１作用部分の内面と上記第２作用部分の内面との間に開く向きの力が加わったとしても、ロック部（開放規制モードにある）は上記第１作用部分と上記第２作用部分とが上記支軸の周りで互いに開くのを禁止する。したがって、上記装着状態が維持され、一対のアーム部材の間に被測定部位を保持し続けることができる。これにより、上記被測定部位を通る動脈が圧迫されて、血圧測定が円滑に実行される。
【００１２】
この血圧測定用カフは、上記装着状態から、血圧測定の後、次のような操作（ｅ）〜（ｈ）で取り外される。
（ｅ）  上記ロック部を開放規制モードから開放許容モードに切り替える。
（ｆ）  次に、上記ロック部が開放許容モードにある状態で、上記第１操作部分と上記第２操作部分とを上記支軸の周りで互いに開く。これにより、上記第１作用部分と上記第２作用部分とが上記支軸の周りで互いに開かれ、開状態になる。
（ｇ）  次に、上記第１作用部分と上記第２作用部分との間から被測定部位を取り外す。
（ｈ）  この後、上記第１操作部分と上記第２操作部分とを上記支軸の周りで互いに閉じる。これにより、上記第１作用部分と上記第２作用部分とが上記支軸の周りで互いに閉じられ、閉状態になる。この閉状態（最小サイズの状態）で、この血圧測定用カフを保管する。
【００１３】
なお、上記第１作用部分と上記第２作用部分との間が開かれた状態（開状態）で、この血圧測定用カフを保管してもよい。その場合、上記開く操作（ａ）と上記閉じる操作（ｈ）とが省略され得る。
【００１４】
なお、第１アーム部材、第２アーム部材は、それぞれ実質的に剛性を有するのが望ましい。本明細書で、「実質的に」剛性を有するとは、血圧測定用カフとしての実用上、撓みが無視できることを意味する。
【００１５】
一実施形態の血圧測定用カフでは、上記ロック部は、上記支軸に関して上記第１作用部分、上記第２作用部分の側ではなく上記第１操作部分、上記第２操作部分の側に配置され、上記開放許容モードでは、上記第１操作部分と上記第２操作部分とが上記支軸の周りで互いに開くのを許容することによって、上記第１作用部分と上記第２作用部分とが上記支軸の周りで互いに開くのを許容する一方、上記開放規制モードでは、上記第１操作部分と上記第２操作部分とが上記支軸の周りで互いに開くのを禁止することによって、上記第１作用部分と上記第２作用部分とが上記支軸の周りで互いに開くのを規制することを特徴とする。
【００１６】
この一実施形態の血圧測定用カフでは、上記ロック部は、上記支軸に関して上記第１作用部分、上記第２作用部分の側ではなく上記第１操作部分、上記第２操作部分の側に配置されている。そして、上記ロック部は、上記開放許容モードでは、上記第１操作部分と上記第２操作部分とが上記支軸の周りで互いに開くのを許容することによって、上記第１作用部分と上記第２作用部分とが上記支軸の周りで互いに開くのを許容する一方、上記開放規制モードでは、上記第１操作部分と上記第２操作部分とが上記支軸の周りで互いに開くのを禁止することによって、上記第１作用部分と上記第２作用部分とが上記支軸の周りで互いに開くのを規制する。この場合、上記第１作用部分と上記第２作用部分との間に被測定部位を配置する操作（上記（ｂ））の際に、上記ロック部の構成要素が障害になるのを避け得る。
【００１７】
一実施形態の血圧測定用カフでは、
上記ロック部は、
上記第１操作部分と上記第２操作部分との一方に回動可能に取り付けられた係合アームと、
上記第１操作部分と上記第２操作部分との他方に設けられ、上記係合アームと係合し得る係合受け部とを含むことを特徴とする。
【００１８】
この一実施形態の血圧測定用カフでは、上記ロック部は、上記第１操作部分と上記第２操作部分との一方に回動可能に取り付けられた係合アームと、上記第１操作部分と上記第２操作部分との他方に設けられた係合受け部とによって、簡単に構成される。また、上記開放許容モードと上記開放規制モードとの切り替えは、上記係合アームと上記係合受け部との離間、係合によって簡単に行われる。
【００１９】
一実施形態の血圧測定用カフでは、
上記係合アームは、上記係合受け部と接すべき部位に鋸歯状の突起を有し、この突起は、この係合アームの長手方向に対して実質的に垂直に立ち上がっている係止面と、この係止面に対してこの係合アームの根元から遠ざかる側に連なる斜面とを有し、
上記係合受け部は、上記係合アームと接すべき部位に、上記係合アームの上記鋸歯状の突起に対応して噛み合う鋸歯状の突起を有することを特徴とする。
【００２０】
この一実施形態の血圧測定用カフでは、上記係合アームは、上記係合受け部と接すべき部位に鋸歯状の突起を有する。一方、上記係合受け部は、上記係合アームと接すべき部位に、上記係合アームの上記鋸歯状の突起に対応して噛み合う鋸歯状の突起を有する。したがって、上記開放規制モードでは、上記係合アームの長手方向に対して実質的に垂直に立ち上がっている係止面と、上記係合受け部の対応する係止面とが、互いに当接して、上記第１操作部分と上記第２操作部分とが互いに開くのを禁止する。
【００２１】
また、このロック部の構成によれば、上記開放規制モードにおいて、上記第１操作部分と上記第２操作部分とを上記支軸の周りで互いに接近させることが許容される。その理由は、上記第１操作部分と上記第２操作部分とを上記支軸の周りで互いに接近させようとすると、上記係合アームの突起の斜面と上記係合受け部の突起の斜面とが互いに滑って、上記係合アームの突起の斜面と上記係合受け部の突起とが互いに乗り越えるからである。この結果、上記開放規制モードにおいて、上記第１操作部分と上記第２操作部分とが上記支軸の周りで互いに閉じられ、それに伴って、上記第１作用部分と上記第２作用部分とが上記支軸の周りで互いに接近し得る（上記（ｄ））。
【００２２】
一実施形態の血圧測定用カフでは、
上記圧迫部材は、
上記第１作用部分の内面と上記第２作用部分の内面とにまたがって、上記被測定部位を取り巻く周方向に沿って配置されたカーラと、
上記カーラの内周面に沿って配置され、血圧測定時に加圧されて膨張する流体袋とを含むことを特徴とする。
【００２３】
本明細書で、「カーラ」とは、加圧された流体袋が被測定部位を圧迫できるように、上記被測定部位を取り巻くとともに、上記流体袋の厚さ方向に関して外向きの膨張を規制する部材を指す。このカーラは、典型的には樹脂板からなり、被測定部位を取り巻く周方向に沿って湾曲する或る程度の可撓性、および、上記流体袋の厚さ方向に関して外向きの膨張を規制する或る程度の硬さを有する。
【００２４】
この一実施形態の血圧測定用カフでは、上記装着状態で、血圧測定時に上記流体袋が加圧されて膨張する。カーラは、上記流体袋の厚さ方向に関して外向きの膨張を規制する。したがって、上記流体袋は、厚さ方向に関して、主に上記被測定部位へ向かって内向きに膨張する。これにより、上記被測定部位を通る動脈が有効に圧迫されて、血圧測定が円滑に実行される。
【００２５】
一実施形態の血圧測定用カフでは、上記流体袋は、厚さ方向に関して、上記第１作用部分の先端部に対応する第１袋先端部、および、上記第２作用部分の先端部に対応する第２袋先端部の膨張ストロークが、上記第１袋先端部と上記第２袋先端部との間の袋中央部の膨張ストロークよりも大きくなるように設定されていることを特徴とする。
【００２６】
本明細書で、「膨張ストローク」とは、上記流体袋が加圧されたとき、厚さ方向に関して膨張するストロークを指す。
【００２７】
この一実施形態の血圧測定用カフでは、上記流体袋は、厚さ方向に関して、上記第１作用部分の先端部に対応する第１袋先端部、および、上記第２作用部分の先端部に対応する第２袋先端部の膨張ストロークが、上記第１袋先端部と上記第２袋先端部との間の袋中央部の膨張ストロークよりも大きくなるように設定されている。したがって、血圧測定時に上記流体袋が加圧されたとき、上記第１袋先端部および上記第２袋先端部が、上記袋中央部よりも、上記被測定部位へ向かって大きく膨張する。この結果、従来例のように一対のアーム部材の間から被測定部位が押し出されるというよりも、むしろ、上記被測定部位が、上記第１作用部分と上記第２作用部分との間で奥へ（上記支軸の側へ）押し込まれるという傾向が生ずる。したがって、上記装着状態が安定して維持される。
【００２８】
一実施形態の血圧測定用カフでは、
上記第１作用部分は、上記第１操作部分に上記支軸を介して一体に連なる第１主動部分と、この第１主動部分に対して第１関節を介して回動可能に連結された第１連動部分とを有し、
上記第２作用部分は、上記第２操作部分に上記支軸を介して一体に連なる第２主動部分と、この第２主動部分に対して第２関節を介して回動可能に連結された第２連動部分とを有し、
上記第１操作部分と上記第２操作部分とが上記支軸の周りで互いに接近するように操作されたことに伴って、上記第１主動部分と上記第２主動部分とが上記支軸の周りで互いに接近するとき、上記第１主動部分に対して相対的に、上記第１関節を介して上記第１連動部分を閉じる向きに回転させるとともに、上記第２主動部分に対して相対的に、上記第２関節を介して上記第２連動部分を閉じる向きに回転させるリンク機構を備えたことを特徴とする。
【００２９】
本明細書で、上記第１主動部分に対して相対的に上記第１連動部分を「閉じる向き」、上記第２主動部分に対して相対的に上記第２連動部分を「閉じる向き」とは、それぞれ上記被測定部位を包む向きを意味する。
【００３０】
この一実施形態の血圧測定用カフでは、上記第１操作部分と上記第２操作部分とが上記支軸の周りで互いに接近するように操作されたとき（上記（ｄ））、上記第１主動部分と上記第２主動部分とが上記支軸の周りで互いに接近する。このとき、リンク機構は、上記第１主動部分に対して相対的に、上記第１関節を介して上記第１連動部分を閉じる向きに回転させるとともに、上記第２主動部分に対して相対的に、上記第２関節を介して上記第２連動部分を閉じる向きに回転させる。これにより、上記第１作用部分と上記第２作用部分とが上記支軸の周りで互いに接近した閉状態では、上記被測定部位の外周面を、上記第１主動部分と上記第１連動部分とが包むとともに、上記第２主動部分と上記第２連動部分とが包む状態になる。したがって、血圧測定時に上記圧迫部材が加圧されたとき、上記装着状態が安定して維持される。
【００３１】
一実施形態の血圧測定用カフでは、上記リンク機構は、上記第１主動部分に対する上記第１連動部分の開く向きの回転、および、上記第２主動部分に対する上記第２連動部分の開く向きの回転を規制することを特徴とする。
【００３２】
この一実施形態の血圧測定用カフでは、上記リンク機構は、上記第１主動部分に対する上記第１連動部分の開く向きの回転、および、上記第２主動部分に対する上記第２連動部分の開く向きの回転を規制する。したがって、血圧測定時に上記圧迫部材が加圧されたとき、上記装着状態がさらに安定して維持される。
【００３３】
一実施形態の血圧測定用カフでは、このカフが上記被測定部位に装着された装着状態で、上記第１作用部分と上記第２作用部分は、上記被測定部位の外周面のうち周方向に関して半分を超える領域を包むことを特徴とする。
【００３４】
この一実施形態の血圧測定用カフでは、このカフが上記被測定部位に装着された装着状態で、上記第１作用部分と上記第２作用部分は、上記被測定部位の外周面のうち周方向に関して半分を超える領域を包む。したがって、血圧測定時に上記圧迫部材が加圧されたとき、上記装着状態がさらに安定して維持される。
【発明の効果】
【００３５】
以上より明らかなように、この発明の血圧測定用カフは、被測定部位に対する装着が容易で、かつ、血圧測定時に一対のアーム部材の間に被測定部位を保持し続けることができる。
【図面の簡単な説明】
【００３６】
【図１】この発明の一実施形態の血圧測定用カフの外観を示す斜視図である。
【図２】上記カフを実質的に棒状の被測定部位が配置される方向（Ｙ方向）に沿って見たところを示す図である。
【図３】上記カフのロック部を拡大して示す図である。
【図４Ａ】開状態にある上記カフに対して被測定部位としての左上腕が配置された態様を示す図である。
【図４Ｂ】図４Ａにおける開状態から上記カフが閉じられてゆく態様を示す図である。
【図４Ｃ】上記カフが閉状態になり、左上腕に装着された態様を示す図である。
【図５】上記カフが、図４Ａ〜図４Ｃ中に示した左上腕よりも太い左上腕に装着された態様を示す図である。
【図６】図６（Ａ）、図６（Ｂ）は、それぞれ一対のアーム部材の変形例を説明する図である。
【発明を実施するための形態】
【００３７】
以下、この発明の実施の形態を、図面を参照しながら詳細に説明する。
【００３８】
図１は、この発明の一実施形態の血圧測定用カフ１の外観を斜めから見たところを示している。また、図２は、カフ１を実質的に棒状の被測定部位が配置される方向（Ｙ方向）に沿って見たところを示している。なお、図１、図２および後述の図３には、理解の容易のために、ＸＹＺ直交座標系を併せて示している。例えば図４Ａに示すように、このカフ１は、実質的に棒状の被測定部位としての左上腕９０に装着されることを予定している。左上腕９０の外周面は、体幹側の半面である第１の半面９０ａと、その反対側に相当する第２の半面９０ｂとを含む。体幹側の半面９０ａの近傍には、血圧測定の際に圧迫されるべき動脈９０ｖが通っている。
【００３９】
図１に示すように、カフ１は、基体部材１０と、この基体部材１０に取り付けられた第１アーム部材３０，３０′および第２アーム部材４０，４０′と、ロック部５０と、圧迫部材６０と、リンク機構７０とを備えている。
【００４０】
基体部材１０は、実質的に平坦な形状をもつ平板部１１と、この平板部１１のＹ方向に関して互いに反対側の端部から下方（−Ｚ方向）へ延在する端板部１２，１２′と、平板部１１と端板部１２との間のコーナー部、平板部１１と端板部１２′との間との間のコーナー部をそれぞれ切り欠いて形成された貫通穴１３，１３′とを有している。
【００４１】
なお、カフ１の構成についての「下」、後述の「上」、「右」、「左」という用語は、専ら構成要素の配置を説明する便宜のために用いられる。実際には、カフ１は如何なる方向へ向けられた姿勢をとってもよい。
【００４２】
第１アーム部材３０は、上から順に、第１操作部分３１、支軸２１を取り囲む第１軸受部分３２、および、左上腕９０の外周面のうち第１の半面９０ａの側に配される第１作用部分３３，３５を含んでいる。第１アーム部材３０′は、平板部１１のＹ方向に関して中央を通る鉛直平面（図１中の直線Ｙ１を含む、ＺＸ面と平行な平面を指す。以下「鉛直平面Ｙ１」と呼ぶ。）に関して、第１アーム部材３０と対称に構成されている（図１において、第１アーム部材３０の構成要素と対応する第１アーム部材３０′の構成要素には、同じ符号に′を付して示している。）。概して言って、第１アーム部材３０，３０′は、図１において左上から右下へ向かってそれぞれ基体部材１０の貫通穴１３，１３′を通して配置され、第１軸受部分３２に相当する箇所で、端板部１２，１２′の間をＹ方向に延在する支軸２１によって、基体部材１０に対してＺＸ面に沿って回動可能に取り付けられている。第１アーム部材３０と第１アーム部材３０′とは、第１操作部分３１、第１操作部分３１′の先端部（共通の符号３１ｅで表す。）において、Ｙ方向に延在する略丸棒状の連結バー３９によって一体に連結されている。
【００４３】
同様に、第２アーム部材４０は、上から順に、第２操作部分４１、支軸２２を取り囲む第２軸受部分４２、および、左上腕９０の外周面のうち第１の半面９０ａと反対の第２の半面９０ｂの側に配される第２作用部分４３，４５を含んでいる。第２アーム部材４０′は、平板部１１のＹ方向に関して中央を通る鉛直平面Ｙ１に関して、第２アーム部材４０と対称に構成されている（図１において、第２アーム部材４０の構成要素と対応する第２アーム部材４０′の構成要素には、同じ符号に′を付して示している。）。概して言って、第２アーム部材４０，４０′は、図１において右上から左下へ向かってそれぞれ基体部材１０の貫通穴１３，１３′を通して配置され、第２軸受部分４２に相当する箇所で、端板部１２，１２′の間をＹ方向に延在する支軸２２によって、基体部材１０に対してＺＸ面に沿って回動可能に取り付けられている。第２アーム部材４０と第２アーム部材４０′とは、第２操作部分４１、第２操作部分４１′の先端部（共通の符号４１ｅで表す。）において、Ｙ方向に延在する略丸棒状の連結バー４９によって一体に連結されている。
【００４４】
このカフ１は、Ｙ方向に関して鉛直平面Ｙ１に関して実質的に対称に構成されているので、以下では、第１アーム部材３０，３０′については第１アーム部材３０によって代表して説明し、また、第２アーム部材４０，４０′については第２アーム部材４０によって代表して説明する。
【００４５】
図２によって良く分かるように、支軸２１，２２は、Ｘ方向に関して互いに離間して、それぞれ端板部１２の右部分、左部分に配置されている。第１アーム部材３０において、支軸２１を取り囲む第１軸受部分３２の周りには、支軸２２に面する側に半周ギヤ（周面の略半分にのみ歯を有するギヤ）３２Ｇが設けられている。一方、第２アーム部材４０において、支軸２２を取り囲む第２軸受部分４２の周りには、支軸２１に面する側に、半周ギヤ３２Ｇと噛み合った半周ギヤ４２Ｇが設けられている。
【００４６】
互いに交差した一対のアーム部材３０，４０の一方、例えば第１アーム部材３０が支軸２１の周りに時計回りに回転されると、半周ギヤ３２Ｇ，４２Ｇの噛合を介して、他方の第２アーム部材４０が支軸２２の周りに反時計回りに回転される。逆に、第１アーム部材３０が支軸２１の周りに反時計回りに回転されると、半周ギヤ３２Ｇ，４２Ｇの噛合を介して、他方の第２アーム部材４０が支軸２２の周りに時計回りに回転される。したがって、第１アーム部材３０と第２アーム部材４０とは、図２において左右対称に回動する。
【００４７】
この例では、第１アーム部材３０の第１操作部分３１は左上から右下へ向かってストレートに延在している。第１アーム部材３０の第１作用部分は、第１操作部分３１に第１軸受部分３２を介して一体に連なる第１主動部分３３と、この第１主動部分３３に対して第１関節としての第１連結軸（Ｙ方向に延在する）３４を介してＺＸ面に沿って回動可能に連結された第１連動部分３５とを有している。第１主動部分３３は、第１操作部分３１と同じ向きに左上から右下へ向かってストレートに延在している。第１連動部分３５は、第１主動部分３３が延在する向きよりも内側（例えば図４Ａ中に示す左上腕９０が配置される側）へ傾斜した向きに配され、ストレートに延在する中間部分３５ｂと、この中間部分３５ｂに対してさらに内側へ傾斜した向きに一体に連なり、ストレートに延在する遠位部分３５ｃとを含んでいる。
【００４８】
また、中間部分３５ｂのうち第１連結軸３４から一定寸法だけ離れた箇所と、基体部材１０の端板部１２の右端とにまたがって、一定の長さをもつリンクアーム３６が取り付けられている。リンクアーム３６の下端部は、中間部分３５ｂのうち第１連結軸３４から一定寸法だけ離れた箇所に、第３連結軸（Ｙ方向に延在する）３７を介してＺＸ面に沿って回動可能に連結されている。リンクアーム３６の上端部は、基体部材１０の端板部１２の右端に、第４連結軸（Ｙ方向に延在する）３８を介してＺＸ面に沿って回動可能に連結されている。
【００４９】
第２アーム部材４０の第２操作部分４１は右上から左下へ向かってストレートに延在している。第２アーム部材４０の第２作用部分は、第２操作部分４１に第２軸受部分４２を介して一体に連なる第２主動部分４３と、この第２主動部分４３に対して第２関節としての第２連結軸（Ｙ方向に延在する）４４を介してＺＸ面に沿って回動可能に連結された第２連動部分４５とを有している。第２主動部分４３は、第２操作部分４１と同じ向きに左上から右下へ向かってストレートに延在している。第２連動部分４５は、第２主動部分４３が延在する向きよりも内側（例えば図４Ａ中に示す左上腕９０が配置される側）へ傾斜した向きに配され、ストレートに延在する中間部分４５ｂと、この中間部分４５ｂにに対してさらに内側へ傾斜した向きに一体に連なり、ストレートに延在する遠位部分４５ｃとを含んでいる。
【００５０】
また、中間部分４５ｂのうち第２連結軸４４から一定寸法だけ離れた箇所と、基体部材１０の端板部１２の左端とにまたがって、一定の長さをもつリンクアーム４６が取り付けられている。リンクアーム４６の下端部は、中間部分４５ｂのうち第２連結軸４４から一定寸法だけ離れた箇所に、第５連結軸（Ｙ方向に延在する）４７を介してＺＸ面に沿って回動可能に連結されている。リンクアーム４６の上端部は、基体部材１０の端板部１２の左端に、第６連結軸（Ｙ方向に延在する）４８を介してＺＸ面に沿って回動可能に連結されている。
【００５１】
リンクアーム３６、第３連結軸３７、第４連結軸３８、リンクアーム４６、第５連結軸４７、第６連結軸４８は、リンク機構７０を構成している。このリンク機構７０のリンクアーム３６は、第１操作部分３１と第２操作部分４１とが支軸２１，２２の周りで互いに接近するように操作されたことに伴って、第１主動部分３３と第２主動部分４３とが支軸２１，２２の周りで互いに接近するとき、第１主動部分３３に対して相対的に、第１連結軸３４を介して第１連動部分３５を閉じる向き（図４Ｃに示す左上腕９０を包む向き）に回転させる。これとともに、リンクアーム４６は、第２主動部分４３に対して相対的に、第２連結軸４４を介して第２連動部分４５を閉じる向きに回転させる。逆に、このリンク機構７０のリンクアーム３６は、第１操作部分３１と第２操作部分４１とが支軸２１，２２の周りで互いに遠ざかるように操作されたことに伴って、第１主動部分３３と第２主動部分４３とが支軸２１，２２の周りで互いに遠ざかるとき、第１主動部分３３に対して相対的に、第１連結軸３４を介して第１連動部分３５を開く向きに回転させる。これとともに、リンクアーム４６は、第２主動部分４３に対して相対的に、第２連結軸４４を介して第２連動部分４５を開く向きに回転させる。
【００５２】
このリンク機構７０は、第１主動部分３３に対する第１連動部分３５の開く向きの回転、および、第２主動部分４３に対する第２連動部分４５の開く向きの回転を規制する。
【００５３】
図１および図２に示すように、圧迫部材６０は、この例ではポリプロピレン（ＰＰ）の樹脂板（自然状態では平板状の形状をもつ）からなるカーラ６１と、この例ではポリウレタン樹脂からなる流体袋としての空気袋６２とを含んでいる。
【００５４】
カーラ６１は、第１作用部分３３，３５の内面（左上腕９０に対向する側の面）と第２作用部分４３，４５の内面とにまたがって、被測定部位としての左上腕９０を取り巻くべき周方向に沿って配置されている。カーラ６１の周方向に関する先端部６１ｅ，６１ｆは、それぞれ対応する第１連動部分３５の先端部３５ｅ近傍の部位３５ｍ、第２連動部分４５の先端部４５ｅ近傍の部位４５ｍに、接着によって取り付けられている。このカーラ６１の材料が或る程度の可撓性を有することから、第１作用部分３３，３５と第２作用部分４３，４５とが支軸２１，２２の周りで閉じた状態（図１、図２の状態）では、カーラ６１は周方向に沿って略円形に湾曲する。
【００５５】
空気袋６２は、カーラ６１の内周面に沿って配置され、接着されている。この例では、空気袋６２は、カーラ６１の周方向に関して全域にわたって配置されている。この空気袋６２は、血圧測定時に、フレキシブルなエアチューブ６３（図１参照）を介して外部から空気が供給され、加圧されて膨張する。カーラ６１の材料が或る程度の硬さを有することから、カーラ６１によって空気袋６２の厚さ方向に関して外向きの膨張が規制される。この結果、空気袋６２は、厚さ方向に関して、主に左上腕９０へ向かって内向きに膨張する。これにより、左上腕９０を通る動脈９０ｖ（例えば、図４Ｃ参照。）が有効に圧迫されて、血圧測定が円滑に実行される。
【００５６】
特に、この例では、空気袋６２は、厚さ方向に関して、第１作用部分の第１連動部分３５の先端部３５ｅに対応する第１袋先端部６２ｅ、および、第２作用部分の第２連動部分４５の先端部４５ｅに対応する第２袋先端部６２ｆの膨張ストロークが、第１袋先端部６２ｅと第２袋先端部６２ｆとの間の袋中央部６２ｃの膨張ストロークよりも大きくなるように設定されている。具体的には、自然状態（加圧されていない状態）での空気袋６２の側面（Ｙ方向に関して両端の面）の寸法が、袋中央部６２ｃから第１袋先端部６２ｅへ向かって、また、袋中央部６２ｃから第２袋先端部６２ｆへ向かって、徐々に大きくなるように設定されている。
【００５７】
図１および図２に示すように、ロック部５０は、係合アーム５２と、この係合アーム５２と係合し得る係合受け部５４とを含んでいる。
【００５８】
係合アーム５２は、第２操作部分４１の連結バー４９の周りに回動可能に取り付けられている。連結バー４９の外周面には、鋸歯状の突起５５（後述する係合受け部５４の鋸歯状の突起と同様のもの）が設けられている。係合アーム５２の根元に一体に形成された円筒部５１が、連結バー４９の周りに嵌合されている。この結果、係合アーム５２は、鋸歯状の突起５５から摩擦を受けながら、連結バー４９の周りに図１中に示す矢印Ａ方向に回動し得るようになっている。図３中に示すように、係合アーム５２は、係合受け部５４と接すべき部位に、この係合アーム５２の長手方向に沿って複数並ぶ鋸歯状の突起５３，５３，…を有している。各突起５３は、この係合アーム５２の長手方向（図３ではＸ方向）に対して実質的に垂直に立ち上がっている係止面５３ａと、この係止面５３ａに対して係合アーム５２の根元から遠ざかる側（−Ｘ側）に連なる斜面５３ｂとを有している。
【００５９】
係合受け部５４は、係合アーム５２に接すべき部位、すなわち、第１操作部分３１の連結バー３９の外周面に、係合アーム５２の鋸歯状の突起５３に対応して噛み合う複数の鋸歯状の突起５６，５６，…を有している。
【００６０】
このロック部５０では、係合アーム５２が係合受け部５４から離間しているとき、第１作用部分３３，３５と第２作用部分４３，４５とが支軸２１，２２の周りで開くのを許容する開放許容モードとなる。
【００６１】
ロック部５０が開放許容モードにある状態で、第２操作部分４１の連結バー４９の周りに係合アーム５２を下方へ回動させて係合アーム５２を係合受け部５４に対して重ねれば、係合アーム５２の鋸歯状の突起５３と係合受け部５４の鋸歯状の突起５６とが円滑に噛み合って係合する。つまり、ロック部５０を開放許容モードから開放規制モード、すなわち、第１作用部分３３，３５と第２作用部分４３，４５とが支軸２１，２２の周りで開くのを禁止するモードへ簡単に切り替えることができる。
【００６２】
詳しくは、ロック部５０の係合アーム５２が係合受け部５４と係合しているとき（つまり、開放規制モードにあるとき）、図３中に示した係合アーム５２の長手方向に対して実質的に垂直に立ち上がっている係止面５３ａと、係合受け部５４の対応する係止面５６ａとが、互いに当接して、第１操作部分３１と第２操作部分４１とが支軸２１，２２の周りで互いに開くのを禁止する。これによって、第１作用部分３３，３５と第２作用部分４３，４５とが支軸２１，２２の周りで互いに開くのが規制される。
【００６３】
なお、このロック部５０の構成によれば、この開放規制モードでは、第１作用部分３３，３５と第２作用部分４３，４５とを支軸２１，２２の周りで互いに接近させる動作、つまり互いに閉じる動作は許容される。その理由は、第１操作部分３１と第２操作部分４１とを支軸２１，２２の周りで互いに接近させようとすると、係合アーム５２の突起５３の斜面５３ｂと係合受け部５４の突起５６の斜面５６ｂとが互いに滑って、突起５３，５６が互いに乗り越えるからである。この結果、第１操作部分３１と第２操作部分４１とが支軸２１，２２の周りで互いに閉じられ、それに伴って、第１作用部分３３，３５と第２作用部分４３，４５とが支軸２１，２２の周りで互いに接近し得る。
【００６４】
また、ロック部５０が開放規制モードにある状態で、第２操作部分４１の連結バー４９の周りに係合アーム５２を回動させて係合アーム５２を係合受け部５４から離間させれば、開放許容モードへ簡単に切り替えることができる。
【００６５】
このロック部５０は、第２操作部分４１の連結バー４９の周りに回動可能に取り付けられた係合アーム５２と、第１操作部分３１の連結バー３９に設けられた係合受け部５４とによって、簡単に構成される。
【００６６】
なお、第２操作部分４１の連結バー４９に係合アーム５２、第１操作部分３１の連結バー３９に係合受け部５４をそれぞれ設けるのとは逆に、第２操作部分４１の連結バー４９に係合受け部５４、第１操作部分３１の連結バー３９に係合アーム５２をそれぞれ設けてもよい。
【００６７】
図１および図２から分かるように、ロック部５０は、支軸２１，２２に関して第１作用部分３３，３５、第２作用部分４３，４５の側ではなく第１操作部分３１、第２操作部分４１の側に配置されている。この場合、第１作用部分３３，３５と第２作用部分４３，４５との間に被測定部位としての左上腕９０を配置する操作（後述する操作（ｂ））の際に、ロック部５０の構成要素が障害になることがない。
【００６８】
この例では、カフ１の各部は、それぞれＡＢＳ（アクリロニトリルブタジエンスチレン共重合体）樹脂からなり、血圧測定用カフとしての実用上、実質的に剛性を有する（撓みが無視できる）。
【００６９】
この血圧測定用カフ１は、ユーザ（被測定者、および、医師・看護師などの医療従事者を含む。）によって、被測定部位としての左上腕９０に対して、次のような操作で装着される。なお、図１、図２に示したように、最初に、第１操作部分３１と第２操作部分４１とが支軸２１，２２の周りで互いに接近し、それに伴って第１作用部分３３，３５と第２作用部分４３，４５とが支軸２１，２２の周りで互いに接近した閉状態（最小サイズの状態）にあるものとする。また、ロック部５０は、係合アーム５２が連結バー４９の周りに上方へ回動されて、開放許容モードにあるものとする。
【００７０】
（ａ）  まず、ロック部５０が開放許容モードにある状態で、ユーザが例えば左手で第１操作部分３１の連結バー３９を持ち、右手で第２操作部分４１の連結バー４９を持って、図４Ａに示すように、第１操作部分３１と第２操作部分４１とを支軸２１，２２の周りで互いに開く。これにより、第１作用部分３３，３５と第２作用部分４３，４５とが支軸２１，２２の周りで互いに開かれ、開状態になる。
【００７１】
なお、ユーザが例えば左手で第１作用部分の第１連動部分３５の先端部３５ｅを持ち、右手で第２作用部分の第２連動部分４５の先端部４５ｅを持って、支軸２１，２２の周りで第１作用部分３３，３５と第２作用部分４３，４５とを直接開いてもよい。
【００７２】
（ｂ）  次に、ユーザが例えば右手で第１操作部分３１と第２操作部分４１とを持ち、第１作用部分３３，３５と第２作用部分４３，４５との間で、圧迫部材６０の内周側の空気袋６２に接するように、左上腕９０を配置する。この例では、第１作用部分３３，３５が左上腕９０の第１の半面（体幹側の半面）９０ａに対向し、第２作用部分４３，４５がその反対側に相当する第２の半面９０ｂに対向する向きで、左上腕９０の上部が空気袋６２の袋中央部６２ｃに接するように配置する。
【００７３】
（ｃ）  次に、この例では、ロック部５０を開放許容モードから開放規制モードに切り替える。具体的には、図４Ａ中に矢印Ａ１で示すように、ユーザが例えば右手で係合アーム５２を連結バー４９の周りに下方へ回動させて、ロック部５０の係合アーム５２を係合受け部５４に対して重ねる。これにより、係合アーム５２の鋸歯状の突起５３と係合受け部５４の鋸歯状の突起５６とが円滑に噛み合って係合する。このようにして、ロック部５０を開放許容モードから開放規制モード、すなわち、第１作用部分３３，３５と第２作用部分４３，４５とが支軸２１，２２の周りで開くのを禁止するモードへ簡単に切り替えることができる。
【００７４】
（ｄ）  この後、ユーザが例えば右手の親指と残りの指とで、図４Ｂ中に矢印Ｂ１，Ｂ２で示すように、第１操作部分３１の連結バー３９と第２操作部分４１の連結バー４９とを支軸２１，２２の周りで互いに接近させる。これにより、図４Ｃに示すように、第１作用部分３３，３５と第２作用部分４３，４５とが支軸２１，２２の周りで互いに接近した閉状態になる。左上腕９０は、圧迫部材６０としての空気袋６２とカーラ６１とに取り巻かれるとともに、第１作用部分３３，３５と第２作用部分４３，４５との間に保持される。
【００７５】
特に、このカフ１では、この操作（ｄ）に伴って、リンク機構７０のリンクアーム３６は、第１主動部分３３に対して相対的に、第１連結軸３４を介して第１連動部分３５を閉じる向き（図４Ｃに示す左上腕９０を包む向き）に回転させる。これとともに、リンクアーム４６は、第２主動部分４３に対して相対的に、第２連結軸４４を介して第２連動部分４５を閉じる向きに回転させる。これにより、この閉状態では、左上腕９０の外周面を、第１主動部分３３と第１連動部分３５とが包むとともに、第２主動部分４３と第２連動部分４５とが包む状態になる。
【００７６】
また、この例では、この操作（ｄ）は、ロック部５０が開放規制モードにある状態で行われる。したがって、ユーザが第１操作部分３１の連結バー３９と第２操作部分４１の連結バー４９とを支軸２１，２２の周りで互いに接近させ、右手を離した直後に、例えば左上腕９０が有する弾性力（反発力）に起因して第１作用部分３３，３５と第２作用部分４３，４５とが支軸２１，２２の周りで互いに開こうとしても、それはロック部５０によって禁止される。したがって、第１作用部分３３，３５と第２作用部分４３，４５とを支軸２１，２２の周りで、左上腕９０の太さに応じて、（圧迫部材６０を介して）左上腕９０を挟持した状態に閉じることが可能となる。
【００７７】
この血圧測定用カフ１は、このように簡単な操作（ａ）〜（ｄ）で装着され得る。これを「装着状態」と呼ぶ。
【００７８】
この装着状態では、血圧測定のために空気袋６２が加圧されて第１作用部分３３，３５の内面と第２作用部分４３，４５の内面との間に開く向きの力が加わったとしても、ロック部５０（開放規制モードにある）は第１作用部分３３，３５と第２作用部分４３，４５とが支軸２１，２２の周りで開くのを禁止する。したがって、装着状態が維持され、第１作用部分３３，３５と第２作用部分４３，４５との間に左上腕９０を保持し続けることができる。
【００７９】
特に、このカフ１では、閉状態では、左上腕９０の外周面を、第１主動部分３３と第１連動部分３５とが包むとともに、第２主動部分４３と第２連動部分４５とが包む状態になる。また、リンク機構７０は、第１主動部分３３に対する第１連動部分３５の開く向きの回転、および、第２主動部分４３に対する第２連動部分４５の開く向きの回転を規制する。
【００８０】
さらに、このカフ１では、空気袋６２は、厚さ方向に関して、第１作用部分の第１連動部分３５の先端部３５ｅに対応する第１袋先端部６２ｅ、および、第２作用部分の第２連動部分４５の先端部４５ｅに対応する第２袋先端部６２ｆの膨張ストロークが、第１袋先端部６２ｅと第２袋先端部６２ｆとの間の袋中央部６２ｃの膨張ストロークよりも大きくなるように設定されている。したがって、血圧測定時に空気袋６２が加圧されたとき、図４Ｃ中に矢印Ｆ１，Ｆ２（圧迫力に対応する）で示すように、第１袋先端部６２ｅおよび第２袋先端部６２ｆが、袋中央部６２ｃ（図４Ｃ中に、その膨張を矢印Ｆ３で示す。）よりも、左上腕９０へ向かって大きく膨張する。この結果、従来例のように一対のアーム部材の間から被測定部位が押し出されるというよりも、むしろ、被測定部位としての左上腕９０が、第１作用部分３３，３５と第２作用部分４３，４５との間で奥へ（支軸２１，２２の側へ）押し込まれるという傾向が生ずる。
【００８１】
これらの結果、このカフ１では、血圧測定時に空気袋６２が加圧されたとき、装着状態が安定して維持される。これにより、左上腕９０を通る動脈９０ｖが圧迫されて、血圧測定が円滑に実行される。
【００８２】
この血圧測定用カフ１は、装着状態から、血圧測定の後、次のような操作（ｅ）〜（ｈ）で取り外される。
【００８３】
（ｅ）  まず、ロック部５０を開放規制モードから開放許容モードに切り替える。具体的には、図４Ｃの状態から、ユーザが右手で係合アーム５２を連結バー４９の周りに上方へ回動させて、ロック部５０の係合アーム５２を係合受け部５４から離間させる。これにより、ロック部５０を開放規制モードから開放許容モードに簡単に切り替えることができる。
【００８４】
（ｆ）  次に、ロック部５０が開放許容モードにある状態で、例えば第１操作部分３１の連結バー３９と第２操作部分４１の連結バー４９との間に右手を割り込ませて、第１操作部分３１と第２操作部分４１とを支軸２１，２２を介して互いに開く。これにより、第１作用部分３３，３５と第２作用部分４３，４５とが支軸２１，２２の周りで互いに開かれ、開状態になる。
【００８５】
ここで、このカフ１では、この操作（ｆ）に伴って、リンク機構７０のリンクアーム３６は、第１主動部分３３に対して相対的に、第１連結軸３４を介して第１連動部分３５を開く向きに回転させる。これとともに、リンクアーム４６は、第２主動部分４３に対して相対的に、第２連結軸４４を介して第２連動部分４５を開く向きに回転させる。これにより、支軸２１，２２を介して第１作用部分３３，３５と第２作用部分４３，４５とが大きく開く。
【００８６】
（ｇ）  次に、第１作用部分３３，３５と第２作用部分４３，４５との間から左上腕９０を取り外す。
【００８７】
（ｈ）  この後、ユーザが例えば右手の親指と残りの指とで第１操作部分３１の連結バー３９と第２操作部分４１の連結バー４９とを接近させて、第１操作部分３１と第２操作部分４１とを支軸２１，２２の周りで互いに閉じる。これにより、第１作用部分３３，３５と第２作用部分４３，４５とが支軸２１，２２の周りで互いに閉じられ、閉状態になる。この閉状態（最小サイズの状態）で、この血圧測定用カフ１を保管する。
【００８８】
なお、第１作用部分３３，３５と第２作用部分４３，４５との間が開かれた状態（開状態）で、この血圧測定用カフ１を保管してもよい。その場合、開く操作（ａ）と閉じる操作（ｈ）とが省略され得る。
【００８９】
図５は、このカフ１が、図４Ａ〜図４Ｃ中に示した被測定部位としての左上腕９０よりも太い左上腕９０Ｌに装着された態様を示している。この例では、装着状態で、第１作用部分３３，３５と第２作用部分４３，４５は、左上腕９０Ｌの外周面のうち周方向に関して半分９０Ｐを超える領域を包んでいる。この態様であれば、血圧測定時に空気袋６２が加圧されたとき、左上腕９０Ｌに対して、図５中に示す第１袋先端部６２ｅ、第２袋先端部６２ｆによる圧迫力Ｆ１，Ｆ２のＺ成分の和（Ｆ１ｚ＋Ｆ２ｚ）が、袋中央部６２ｃの圧迫力Ｆ３のＺ成分の大きさよりも大きい状態になる。この結果、左上腕９０Ｌが、第１作用部分３３，３５と第２作用部分４３，４５との間で奥へ（支軸２１，２２の側へ）押し込まれるという傾向が生ずる。したがって、血圧測定時に空気袋６２が加圧されたとき、左上腕９０Ｌに対するカフ１の装着状態が安定して維持される。
【００９０】
逆に言えば、対象とする左上腕９０Ｌの最大の太さ（または最大外周）に応じて、左上腕９０Ｌの外周面のうち周方向に関して半分９０Ｐを超える領域を包むように、このカフ１の第１作用部分３３，３５と第２作用部分４３，４５の寸法を設定すべきである。
【００９１】
（変形例１）
上の例では、例えば図１、図２に示したように、空気袋６２は、カーラ６１の周方向に関して全域にわたって配置された。しかしながら、これに限られるものではない。空気袋６２は、カーラ６１の周方向に関して部分的に又は分割して配置されていてもよい。例えば、空気袋６２の全周のうち、上側の１／３程度の部分（袋中央部６２ｃを含む見込み角１２０°程度の部分）を省略し、左右にそれぞれ１／３程度の部分（第１袋先端部６２ｅ、第２袋先端部６２ｆを含む。）を残す配置としてもよい。
【００９２】
（変形例２）
また、上の例では、ロック部５０は、図３に示したように、主として、係合アーム５２の鋸歯状の突起５３，５３，…と、係合受け部５４の鋸歯状の突起５６，５６，…とによって構成された。しかしながら、ロック部５０の構成は、これに限られるものではない。例えば、係合受け部５４を連結バー３９自体とし、係合アーム５２の下面に、その連結バー３９に係合すべく下方へ開いた断面Ｕ字状のフック（Ｙ方向に延在する）を設けてもよい。なお、この構成の場合、開放許容モードから開放規制モードへの切り替え（上記操作（ｃ））は、上記閉じる操作（ｄ）の後に行われる。
【００９３】
（変形例３）
また、上の例では、例えば図１、図２に示したように、第１アーム部材３０の第１作用部分は、第１関節としての第１連結軸３４を介して第１主動部分３３に対して第１連動部分３５が回動し、また、第２アーム部材４０の第２作用部分は、第２関節としての第２連結軸４４を介して第２主動部分４３に対して第２連動部分４５が回動する構成とした。しかしながら、第１アーム部材３０、第２アーム部材４０の構成は、これに限られるものではない。例えば、図６（Ａ）、図６（Ｂ）に示すように、第１アーム部材、第２アーム部材をそれぞれ一体物として構成してもよい。なお、図６（Ａ）、図６（Ｂ）では、簡単のため、ロック部の図示が省略されている。図６（Ａ）、図６（Ｂ）中の構成要素には、図２中の対応する構成要素の符号にそれぞれ１００、２００だけ加えた符号を付して、適宜詳細な説明を省略する。
【００９４】
図６（Ａ）に示すカフ１０１では、第１アーム部材１３０の第１作用部分は、第１操作部分１３１に対して第１軸受部分１３２を介してストレートに一体に連なる第１主動部分１３３と、この第１主動部分１３３に対して屈曲箇所１３４で鋭角に屈曲して一体に連なる第１連動部分１３５とを有している。第２アーム部材１４０の第２作用部分は、第２操作部分１４１に第２軸受部分１４２を介してストレートに一体に連なる第２主動部分１４３と、この第２主動部分１４３に対して屈曲箇所１４４で鋭角に屈曲して一体に連なる第２連動部分１４５とを有している。第１アーム部材１３０と第２アーム部材１４０とは、支軸１２０の周りに互いに回動可能に交差して連結されている。図６（Ａ）に示す閉状態では、第１アーム部材１３０と第２アーム部材１４０とが左上腕９０を包み得るように、第１アーム部材１３０の第１連動部分１３５の先端部１３５ｅと第２連動部分１４５の先端部１４５ｅとは互いに接近している。
【００９５】
図６（Ｂ）に示すカフ２０１では、第１アーム部材２３０の第１作用部分は、第１操作部分２３１に第１軸受部分２３２を介してストレートに一体に連なる第１主動部分２３３と、この第１主動部分２３３に対して湾曲して一体に連なる第１連動部分２３４とを有している。第２アーム部材２４０の第２作用部分は、第２操作部分２４１に第２軸受部分２４２を介してストレートに一体に連なる第２主動部分２４３と、この第２主動部分２４３に対して湾曲して一体に連なる第２連動部分２４４とを有している。第１アーム部材２３０と第２アーム部材２４０とは、支軸２２０の周りに互いに回動可能に交差して連結されている。図６（Ｂ）に示す閉状態では、第１アーム部材２３０と第２アーム部材２４０とが左上腕９０を包み得るように、第１連動部分２３４の先端部２３４ｅと第２連動部分２４４の先端部２４４ｅとは互いに接近している。
【００９６】
これらの図６（Ａ）、図６（Ｂ）の構成によっても、カフ１０１，２０１を被測定部位としての左上腕９０に容易に装着でき、かつ、血圧測定時にそれぞれ一対のアーム部材１３０，１４０；２３０，２４０の間に左上腕９０を保持し続けることができる。
【００９７】
上述の実施形態では、被測定部位は左上腕９０（または９０Ｌ）としたが、これに限られるものではない。被測定部位は、実質的に棒状であればよく、例えば右上腕、手首などであってもよい。
【００９８】
上述の実施形態は例示に過ぎず、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００９９】
１，１０１，２０１  血圧測定用カフ
１０  基体部材
２０，２１，１２０，２２０  支軸
３０，３０′，１３０，２３０  第１アーム部材
４０，４０′，１４０，２４０  第２アーム部材
５０  ロック部
５２  係合アーム
５４  係合受け部
６０  圧迫部材
７０  リンク機構
【図１】
2017093991.tif 000003
【図２】
2017093991.tif 000004
【図３】
2017093991.tif 000005
【図４Ａ】
2017093991.tif 000006
【図４Ｂ】
2017093991.tif 000007
【図４Ｃ】
2017093991.tif 000008
【図５】
2017093991.tif 000009
【図６】
2017093991.tif 000010